(57)【要約】【課題】  カードや異物の誤挿入を防止することができ、防塵性及びセキュリティ性を備え、更には保守点検が容易な媒体処理装置を提供する。【解決手段】  情報記録媒体に対して情報の読み取り又は書き込みを行う媒体処理装置（カードリーダ１）において、情報記録媒体が挿入される挿入口１１ａを有するフロント部材（ベゼル１１）と、情報記録媒体が挿入口１１ａから装置本体１２の奥側に走行する走行路と、装置本体のフロント部材１１側の端部に設けられ、走行路に対して進出後退し、装置本体１２内への情報記録媒体の挿入を阻止するシャッタ（ＰＩＮシャッタ１５）と、フロント部材１１とＰＩＮシャッタ１５との間に配設され、走行路を塞ぐ防塵部材（防塵シート１８）と、を備える。【選択図】          図３
2008009478.tif 000002
【特許請求の範囲】
【請求項１】
情報記録媒体に対して情報の読み取り又は書き込みを行う媒体処理装置において、
情報記録媒体が挿入される挿入口を有するフロント部材と、
情報記録媒体が前記挿入口から装置本体の奥側に走行する走行路と、
装置本体の前記フロント部材側の端部に設けられ、前記走行路に対して進出後退し、装置本体内への情報記録媒体の挿入を阻止するシャッタと、
前記フロント部材と前記シャッタとの間に配設され、前記走行路を塞ぐ防塵部材と、を備えることを特徴とする媒体処理装置。
【請求項２】
前記防塵部材は、情報記録媒体の厚さ方向の上側の一端が前記フロント部材に取り付けられ、
前記防塵部材の他端は、前記走行路に臨む自由端であって、前記挿入口から挿入された情報記録媒体の表面に接触可能に設けられることを特徴とする請求項１記載の媒体処理装置。
【請求項３】
前記走行路は、前記防塵部材の自由端と略対峙する位置に切り欠き部を有することを特徴とする請求項１又は２記載の媒体処理装置。
【請求項４】
前記切り欠き部は、前記防塵部材の自由端と略対峙する位置の全幅のうち、少なくとも一部に設けたことを特徴とする請求項３記載の媒体処理装置。
【請求項５】
前記フロント部材は、装置本体に対して着脱自在に設けられており、
前記防塵部材の前記一端は、取り付け部材に固定されており、
前記取り付け部材は、前記フロント部材の装置本体側に着脱自在に取り付けられることを特徴とする請求項２から４のいずれか記載の媒体処理装置。
【請求項６】
前記防塵部材の前記他端は、スリットを有することを特徴とする請求項２から５のいずれか記載の媒体処理装置。
【請求項７】
前記防塵部材の前記他端は、帯電防止材からなることを特徴とする請求項２から６のいずれか記載の媒体処理装置。
【請求項８】
装置本体内に、フォトセンサと、当該フォトセンサの受光量変化に基づき前記走行路の汚れを検知する汚れ検知手段とが設けられることを特徴とする請求項１から７のいずれか記載の媒体処理装置。
【発明の詳細な説明】
【技術分野】
【０００１】
本発明は、情報記録媒体に対して情報の読み取り又は書き込みを行う媒体処理装置に関する。
【背景技術】
【０００２】
従来から、カードリーダのカード挿入口を塞ぐ様々な技術が開発されている。例えば、ギロチンシャッタ，可倒式シャッタ，ＰＩＮシャッタ又は防塵シートなどである。このような技術により、カードリーダのカード挿入口に誤ってカードが挿入されたり、悪戯によって異物が押し込まれたりするのを防ぐことができ、また、カードリーダ内に塵や埃が進入するのを防ぐことができるようになっている。
【０００３】
ギロチンシャッタは、カード走行路の上下又は左右から、カード走行路内に向かって金属板等の開閉部材を出し入れ可能としたものである。また、可倒式シャッタは、カード走行路に、カードの接触（衝突）を契機として回動する扉を設け、この扉の回動動作によって、カード走行路が開かれるようにしたものである。また、ＰＩＮシャッタは、カード走行路内に向かって軸や板で形成したピン状の突起物を出し入れ可能としたものである。さらに、防塵シートは、例えば特許文献１に開示されているように、カード挿入口のカード挿入方向上流側に設けられ、カードの挿入を許容する切れ込み状のスリットを有するものである。
【０００４】
【特許文献１】特開２００３−３１７０４５号公報（段落番号［００１０］）
【発明の開示】
【発明が解決しようとする課題】
【０００５】
しかしながら、ギロチンシャッタは、機構が複雑なためコストの上昇や装置大型化が避けられないし、定期的な保守点検が困難である。また、異物の挿入は阻止できても、塵や埃が進入するのを防ぐことは困難である。可倒式シャッタは、カード走行路の開放時に堅い回動扉と接触してしまうため、カードに傷が付いてしまうし、その機構上、定期的な保守点検が困難である。また、回動扉の逃げとしての隙間が必要になり、防塵性に乏しい面がある。ＰＩＮシャッタは、カード走行路を部分的にしか塞ぐことができず、カード走行路の大部分が塞がれていないため、防塵性が乏しいのに加えて、装置内部を覗かれるなどセキュリティ面での不安が残る。防塵シートは、防塵性には優れるが、一般的に柔軟な素材であるため、カードの誤挿入や異物の挿入に対して有効であるとはいえない。
【０００６】
このように、カード挿入口を塞ぐ技術としては様々なものがあるが、いずれも一長一短であり、産業界のニーズを満足するものとはいえなかった。本発明は、このような点に鑑みてなされたものであり、その目的は、カードや異物の誤挿入を防止することができ、防塵性及びセキュリティ性を備え、更には保守点検が容易な媒体処理装置を提供することにある。
【課題を解決するための手段】
【０００７】
以上のような課題を解決するために、本発明は、以下のものを提供する。
【０００８】
（１）  情報記録媒体に対して情報の読み取り又は書き込みを行う媒体処理装置において、情報記録媒体が挿入される挿入口を有するフロント部材と、情報記録媒体が前記挿入口から装置本体の奥側に走行する走行路と、装置本体の前記フロント部材側の端部に設けられ、前記走行路に対して進出後退し、装置本体内への情報記録媒体の挿入を阻止するシャッタと、前記フロント部材と前記シャッタとの間に配設され、前記走行路を塞ぐ防塵部材と、を備えることを特徴とする媒体処理装置。
【０００９】
本発明によれば、媒体処理装置は、情報記録媒体の挿入口を有するフロント部材と、情報記録媒体がその挿入口から装置本体の奥側に走行する走行路と、装置本体のフロント部材側の端部に設けられ、情報記録媒体の挿入を阻止するシャッタと、フロント部材とシャッタとの間に配設され、走行路を塞ぐ防塵部材と、を備えている。従って、シャッタにより、カードや異物の誤挿入を防止することができ、防塵部材により、シャッタでは阻止できない塵埃などの異物の進入を防ぐことができる。また、防塵部材により、装置内部を覗き難くすることができるので、セキュリティ性を高めることができる。
【００１０】
特に、本発明に係る媒体処理装置では、防塵部材は、フロント部材とシャッタとの間に配設されている。従って、例えば、防塵部材がフロント部材の外側（装置奥とは反対側）に配設されている場合には、悪戯によってこれが剥がされる虞があるが、本発明によれば、このような弊害を防止することができる。また、例えば、防塵部材がシャッタよりも内側（装置奥側）に配設されている場合には、シャッタが可動機構であって分解困難であることに起因して、防塵部材の交換や保守点検が困難になるが、本願発明によれば、このような弊害をも防止することができる。このように、本発明に係る媒体処理装置によれば、防塵部材が悪戯によって剥がされるのを防止することができ、また、例えばフロント部材を取り外すだけで、防塵部材の交換や保守点検を容易に行うことができる。
【００１１】
ここで、フロント部材に設けられた「挿入口」の形状や大きさは問わない。もちろん、「フロント部材」の形状や大きさも問わない。また、走行路では情報記録媒体が装置本体の「奥側に」走行するようになっているが、これは、情報記録媒体が装置本体の「奥側から」挿入口へと走行することを排除する趣旨ではない。また、「走行する」には、人為的動作に基づき走行する場合や、モータなどの機械動作に基づき走行する場合など、種々の走行態様が含まれる。また、フロント部材とシャッタとの間に配設された「防塵部材」は、フロント部材やシャッタと接触していても、接触していなくても、どちらでもよい。すなわち、「防塵部材」は、フロント部材とシャッタとの間に介在していれば足り、例えば防塵部材とフロント部材との間に何らかの部材等が存在していてもよいし、また、例えば防塵部材とシャッタとの間に何らかの部材等が存在していてもよい。さらに、防塵部材が走行路を「塞ぐ」とは、装置本体の奥側が一切見えないように、完全に走行路を塞ぐ場合は勿論のこと、塵埃などの異物の進入を少しでも防ぐことができれば、装置本体の奥側が多少見える（多少の隙間がある）場合も含む趣旨である。
【００１２】
（２）  前記防塵部材は、情報記録媒体の厚さ方向の上側の一端が前記フロント部材に取り付けられ、前記防塵部材の他端は、前記走行路に臨む自由端であって、前記挿入口から挿入された情報記録媒体の表面に接触可能に設けられることを特徴とする（１）記載の媒体処理装置。
【００１３】
本発明によれば、防塵部材の一端がフロント部材に取り付けられるとともに、その他端は、走行路に臨む自由端であって、挿入口から挿入された情報記録媒体の表面に接触可能に設けられることとしたので、装置本体へ塵埃が進入するのを防ぐことができるとともに、防塵部材の自由端によって、情報記録媒体に付着した塵埃を取り除く除塵を行うこともできる。また、例えばフロント部材を取り外し可能とすることによって、結果的に防塵部材も取り外し可能となり、ひいては防塵部材の交換及び保守点検を更に容易にすることができる。
【００１４】
（３）  前記走行路は、前記防塵部材の自由端と略対峙する位置に切り欠き部を有することを特徴とする（１）又は（２）記載の媒体処理装置。
【００１５】
本発明によれば、走行路に、防塵部材の自由端と略対峙する位置に切り欠き部が設けられることとしたので、防塵部材によって装置内部への進入を防がれた塵埃を、この切り欠き部の下方（情報記録媒体の厚さ方向の下方）に溜めることができる。そして、保守点検の際、溜まった塵埃を取り去ることで、塵埃を容易に除去することができる。
【００１６】
（４）  前記切り欠き部は、前記防塵部材の自由端と略対峙する位置の全幅のうち、少なくとも一部に設けたことを特徴とする（３）記載の媒体処理装置。
【００１７】
本発明によれば、切り欠き部は、防塵部材の自由端と略対峙する位置の全幅のうち、少なくとも一部に設けたこととしたので、その全幅のうち切り欠き部が設けられた部分以外の部分が非切り欠きとなる結果、カードの引っ掛かりを防ぐことができる。
【００１８】
（５）  前記フロント部材は、装置本体に対して着脱自在に設けられており、前記防塵部材の前記一端は、取り付け部材に固定されており、前記取り付け部材は、前記フロント部材の装置本体側に着脱自在に取り付けられることを特徴とする（２）から（４）のいずれか記載の媒体処理装置。
【００１９】
本発明によれば、フロント部材は、装置本体に対して着脱自在に設けられており、防塵部材の一端は、取り付け部材に固定されており、その取り付け部材は、フロント部材の装置本体側に着脱自在に取り付けられていることとしたので、防塵部材の交換を行うなど保守点検の際には、装置本体からフロント部材を取り外し、フロント部材から取り付け部材を取り外すことによって、防塵部材をワンタッチで容易に交換することができる。なお、「取り付け部材」については、フロント部材と係合するものであってもよいし、フロント部材と嵌合するものであってもよいし、或いは、ネジなどでフロント部材に取り付け固定されるものであってもよい。
【００２０】
（６）  前記防塵部材の前記他端は、スリットを有することを特徴とする（２）から（５）のいずれか記載の媒体処理装置。
【００２１】
本発明によれば、防塵部材の他端（自由端）は、スリットを有することとしたので、除塵効果を高めることができる。すなわち、スリットを有していない場合には、情報記録媒体に凹凸がある場合、情報記録媒体に付着した塵埃を十分に除去することができないが、本発明のように、スリットを有していれば、情報記録媒体の凹凸に沿って変形可能なので、情報記録媒体に付着した塵埃を十分に除去することができる。
【００２２】
（７）  前記防塵部材の前記他端は、帯電防止材からなることを特徴とする（２）から（６）のいずれか記載の媒体処理装置。
【００２３】
本発明によれば、防塵部材の他端（自由端）は、帯電防止材からなることとしたので、情報記録媒体に帯電した静電気を逃がすことができ、ひいては装置の誤動作や情報の誤認識を防ぐことができる。
【００２４】
（８）  装置本体内に、フォトセンサと、当該フォトセンサの受光量変化に基づき前記走行路の汚れを検知する汚れ検知手段とが設けられることを特徴とする（１）から（７）のいずれか記載の媒体処理装置。
【００２５】
本発明によれば、装置本体内に、フォトセンサと、そのフォトセンサの受光量変化に基づき走行路の汚れを検知する汚れ検知手段（例えばＣＰＵ等）とが設けられることとしたので、この汚れ検知手段の機能によって、防塵部材の適切な交換時期（保守点検時期）を認識することができる。
【発明の効果】
【００２６】
以上説明したように、本発明に係る媒体処理装置によれば、情報記録媒体や異物が装置内部に誤挿入されるのを防ぐことができるとともに、防塵性及びセキュリティ性を向上させることができる。また、防塵性を担保する防塵部材について、その保守点検を容易にすることができる。
【発明を実施するための最良の形態】
【００２７】
以下、本発明を実施するための最良の形態について、図面を参照しながら説明する。
【００２８】
［カードリーダ］
図１は、本発明の実施の形態に係るカードリーダ１の外観を示す斜視図である。また、図２は、図１に示すカードリーダ１の機械構造の概略断面図である。なお、図１と図２とで、構成要素が同じものについては同符号で示す。また、本実施形態では、媒体処理装置の一例としてカードリーダ１を採用したが、例えば銀行カードやチケットなどの情報記録媒体に対し、情報の読み取り又は書き込みを行う媒体処理装置であれば、如何なるものであっても本発明を適用できる。
【００２９】
図１及び図２において、カードリーダ１は、カード（図示せず）に対して種々の情報処理を行う装置本体１２に、カードが挿入される挿入口１１ａを有するベゼル（フロント部材の一例）１１が、係合部１１ｃ（図２）を介して取り付けられた構成となっている。装置本体１２は、駆動ローラ（図示せず）を回転させてカードを搬送するモータ１３（図１）と、カード表面上に形成された磁気ストライプに対し磁気データの記録又は再生を行う磁気ヘッド１４と、装置本体１２のベゼル１１側の端部に設けられ、装置本体１２へのカードの挿入を阻止するＰＩＮシャッタ１５と、カード位置を検出するために、発光素子３１ａ，３２ａと対向して配置された受光素子（フォトセンサ）３１ｂ，３２ｂと、その他、様々な機械部品及び電気部品から構成されている。
【００３０】
なお、図２において、装置本体１２の奥側とは右側を意味し、挿入口１１ａから挿入されたカードは、装置本体１２の奥側に通じる走行路を走行する。もちろん、カードが排出される際には、装置本体１２の奥側（図２右側）から挿入口１１ａ（図２左側）に向かって走行路を走行する。
【００３１】
磁気ヘッド１４は、カード表面上に形成された磁気ストライプに接触・摺動することによって、磁気データの記録又は再生を行う。より具体的には、磁気ヘッド１４は、磁気ギャップ（ギャップスペーサ）を挟んで対向配置された少なくとも一対の磁気コアからなり、一方の磁気コアには再生用コイル、他方の磁気コアには記録用コイルが巻かれ、挿入カードに対してヘッド部が所定のパッド圧で摺接して相対的に移動する。これより、カードに格納された磁気データを読み取ったり（情報の読み取り）、カードに対して新たな磁気データを書き込んだり（情報の書き込み）することが可能となる。なお、磁気ヘッド１４は、そのギャップ形成面がカード搬送路内に突出するように配置されている。
【００３２】
図３は、ＰＩＮシャッタ１５の機械動作を説明するための断面図である。なお、図３では、装置本体１２からベゼル１１を取り外し、ＰＩＮシャッタ１５を見え易くしている。
【００３３】
図３（ａ）において、ＰＩＮシャッタ１５は、略Ｌ字形状をしており、支軸１７を中心に回転可能となっている。また、ＰＩＮシャッタ１５には、略Ｌ字形状の空洞が形成されており、そこには、ソレノイド１６のプランジャに形成された突起部１６ａが位置するようになっている。従って、図３（ａ）の状態から、ソレノイド１６を作動させ、突起部１６ａをソレノイド１６側に引いたとき（突起部１６ａが左方へ移動したとき）、ＰＩＮシャッタ１５は、支軸１７を中心に右回りに回転し、その結果、ＰＩＮシャッタ１５の先端部１５ａが走行路に対して進出するようになる（図３（ｂ）参照）。なお、ＰＩＮシャッタ１５が左回りに回転すると、ＰＩＮシャッタ１５の先端部１５ａが走行路に対して後退するようになる。また、本実施形態ではＰＩＮシャッタ１５を用いることとしたが、例えばギロチンシャッタや可倒式シャッタなど、他の種類のシャッタを用いても構わない。
【００３４】
受光素子３１ｂ，３２ｂは、ＣＰＵ等から構成される情報処理ユニット（図示せず）と電気的に接続されており、発光素子３１ａ，３２ａと協同してカード位置を検出する。受光素子３１ｂ，３２ｂは、例えば、フォトダイオード，赤外線受光素子，紫外線受光素子，光導電素子など、その種類の如何は問わない。
【００３５】
以上のような構成からなるカードリーダ１において、カードに対する情報の読み取り又は書き込みの流れを説明すると、まず、ＰＩＮシャッタ１５は閉状態となっている。これにより、カードや異物の誤挿入を防止することができる。次に、ＰＩＮシャッタ１５が閉状態から開状態に遷移し、カードが挿入口１１ａに挿入されると、発光素子３１ａから出射された光が遮られるため、受光素子３１ｂの受光量が減少する。この受光量減少を検出することによって、カードリーダ１はカードが挿入されたことを認識し、モータ１３を回転駆動させる。そうすると、駆動ローラ（図示せず）が回転し、カードの引き込みが行われる（搬送）。そして、走行路内を走行中のカードは、途中、走行路内に突出された磁気ヘッド１４のギャップ形成面と摺動し、内部に格納された磁気データが読み取られたり、内部に新たに磁気データが書き込まれたりする。このとき、受光素子３２ｂの受光量変化に基づいてカード位置を正確に検出しつつ、的確な磁気データのやり取りが行われる。
【００３６】
最後に、カードに対する情報処理が終了すると、モータ１３が逆回転し、カードは、走行路をベゼル１１側に向けて走行し、挿入口１１ａを介して外部へ排出されることになる。なお、本実施形態では、磁気データの読み取り又は書き込みのみを考えたが、ＩＣカードであれば、専用のＩＣ接点がカードリーダ１に組み込まれ、電子データの読み取り又は書き込みが行われる。また、非接触通信カードであれば、専用の非接触通信アンテナがカードリーダ１に組み込まれ、無線通信データの読み取り又は書き込みが行われる。
【００３７】
ここで、図２に示すように、本実施形態に係るカードリーダ１には、ベゼル１１と、装置本体１２との間に、防塵シート（防塵部材の一例）１８が配設されている。防塵シート１８は、走行路を塞ぐことを主目的としている。防塵シート１８の構造等について、図４〜図６を用いて詳述する。
【００３８】
［防塵部材］
図４は、図１に示すカードリーダ１から、ベゼル１１と防塵シート１８を取り外したときの様子を示す図である。また、図５は、図４に示すベゼル１１を背面側（装置本体１２側）から見たときの様子を示す図である。
【００３９】
図４において、防塵シート１８は、一端１８ａが取り付け板（取り付け部材の一例）１９に固定されている。特に、本実施形態では、この一端１８ａがコの字状に折り曲げられた状態で取り付け板１９に固定されている（図５（ａ）参照）。そして、取り付け板１９は、ベゼル１１の装置本体１２側に着脱自在に取り付けられるようになっている。具体的に説明すると、図５（ａ）に示すように、ベゼル１１の装置本体１２側には凹部１１ｂが形成されており、この凹部１１ｂに、取り付け板１９の両端部が当接するようになっている。また、図５に示すように、取り付け板１９の両端部には、嵌合穴１９ａが形成されており、この嵌合穴１９ａと、ベゼル１１の装置本体１２側に形成された突起部１１ｄとが嵌合するようになっている（図５（ａ）→図５（ｂ））。なお、取り付け板１９は、木製，金属製，樹脂製，アルミ製など、如何なる材質のものであってもよい。
【００４０】
図４において、防塵シート１８は、一端１８ａと、他端１８ｂとから構成されている。この他端１８ｂは、スリットを有しており、走行路に望む自由端となっている。そして、挿入口１１ａから挿入されたカードの表面に接触可能に設けられている。なお、他端１８ｂに設けられたスリットは、カードリーダ１に挿入されたカードの厚さ方向における切れ込みであって、取り付け板１９の長手方向に複数本設けられている。また、防塵シート１８は、不織布，ビニールなど、如何なる材質のものであってもよいが、帯電防止材からなるものにするのが好ましい（或いは、除電シートや除電ブラシなどであってもよい）。これにより、カードに帯電した静電気を逃がすことができる。そして、帯電防止材からなる防塵シートを接地することによって、更に効率的に、静電気を逃がすことができる。また、本実施形態では、防塵シート１８を挿入されるカードと接触可能なものとしているが、カードと非接触なものであっても構わない。例えば、カードにある程度近接させておくことで、塵埃が進入するのを防ぐことができるとともに、カードが挿入されることに起因する気流の変化等により、カードに付着した塵埃を除去することができる場合がある。
【００４１】
図５（ｂ）において、走行路のうち、防塵シート１８の自由端（他端１８ｂ）と凡そ対峙する位置の少なくとも一部には、切り欠き部２０が形成されている。その結果、ベゼル１１には、非切り欠き部１１ｄが歯状に形成されている。切り欠き部２０と非切り欠き部１１ｄとの面積を比べると、切り欠き部２０の方が、非切り欠き部１１ｄよりも小さいものとなっている。ただし、切り欠き部２０の面積は、カードが引っ掛からない程度であれば、非切り欠き部２１の面積と同等であっても構わない。
【００４２】
一方、図５（ａ）に示すように、ベゼル１１には係合部１１ｃが形成されており、この係合部１１ｃが装置本体１２と係合することによって、装置本体１２に対して着脱自在に設けられる。そして、ベゼル１１の係合部１１ｃが装置本体１２と係合したとき、取り付け板１９は、ベゼル１１の凹部１１ｂと装置本体１２によって固定されることになる。なお、図１では、ベゼル１１は装置本体１２に完全に係合しておらず、また、取り付け板１９は省略されている。
［実施形態の効果］
【００４３】
以上説明したように、本実施形態に係るカードリーダ１によれば、ＰＩＮシャッタ１５により、カードや異物の誤挿入を防止することができ、また、防塵シート１８により、ＰＩＮシャッタ１５では阻止できない塵埃などの異物の進入を防ぐことができる。また、防塵シート１８により、挿入口１１ａを介して、装置本体１２の奥側を覗き難くすることができるので、セキュリティ性を高めることができる。特に、上述したように、防塵シート１８が固定された取り付け板１９は、ベゼル１１の装置本体１２側に着脱自在に取り付けられるようになっている。従って、防塵シート１８が悪戯によって剥がされるのを防ぐことができるし、また、ベゼル１１を取り外すことによって、防塵シート１８の交換や保守点検をワンタッチで容易にすることができる。また、防塵シート１８を外部から見え難くすることによって、筐体をデザインする際の自由度を高めることができる。
【００４４】
また、防塵シート１８のうち、カードと接触するのは柔軟な自由端（他端１８ｂ）であることから、カードに傷が付くのを防ぐことができる。また、図５（ｂ）に示すように、挿入口１１ａ付近の走行路には、防塵シート１８と凡そ対峙する位置の全幅のうち、少なくとも一部に切り欠き部２０が設けられているので、防塵シート１８によって進入を防がれた塵埃は、この切り欠き部２０の下方に溜まることになる結果、塵埃を容易に除去することができる。特に、切り欠き部２０と非切り欠き部１１ｄの面積を比べると、切り欠き部２０の方が小さい。これにより、カードが切り欠き２０に引っ掛かる確率を小さく（或いはゼロ）にすることができる。
【００４５】
さらにまた、本実施形に係るカードリーダ１では、上述したように、防塵シート１８の他端１８ｂにスリットが入っている。従って、カードに凹凸がある場合であっても（例えばエンボスカードである場合であっても）、カードに付着した塵埃や水滴をより確実に除去することができる。具体的には、図６を用いて詳述する。
【００４６】
図６は、凹凸を有するカード１００が防塵シート１８と接触している様子を示す図である。なお、図６では、カード１００と防塵シート１８に着目し、他の部品等については省略している。
【００４７】
図６（ａ）に示すように、カード１００には、凸部１０１が形成されている。そして、このようなカード１００が防塵シート１８と略対峙する位置に差し掛かったとき、防塵シート１８の他端１８ｂのうちの一部が、凸部１０１の形状に沿って大きく湾曲するようになる（図６（ｂ）参照）。このように、防塵シート１８の自由端（他端１８ｂ）が図６（ｂ）に示すような動きをすることによって、たとえカードに凹凸がある場合であっても、カードに付着した塵埃や水滴をより確実に除去することができる。また、カード挿抜時に、カードに付着した汚れが防塵シート１８に転写することになるので、例えば、ＩＣカードの場合にあってはＩＣ端子のクリーニングになるなど、セルフクリーニング効果を期待することができる。
【００４８】
［変形例］
図７は、カードリーダ１の変形例を説明するための説明図である。
【００４９】
図７（ａ）に示すように、上述した本実施形態に係るカードリーダ１では、防塵シート１８（及び取り付け板１９）が、ベゼル１１と、ＰＩＮシャッタ１５を有する装置本体１２との間に、直接挟まれるような構成となっている。しかし、例えば図７（ｂ）に示すように、防塵シート１８とベゼル１１との間に、何らかの部材（例えば接着剤や除電シートなど）２２が介在してもよいし、防塵シート１８と装置本体１２との間にも、何らかの部材２１が介在してもよい。例えば、除電シートを間に介在させる場合、除電機能を確保するため、防塵シート１８よりも長さが長くなるようにするのがよい。また、何らかの部材２１としてコシが強い材質を採用すると、カードを傷付けたり、カード挿入の阻害を招いたりする虞がある。従って、防塵シート１８と比べてコシが弱い材質のものを採用するのがよい。
【００５０】
図８は、防塵シート１８の変形例を説明するための説明図である。
【００５１】
上述した本実施形態に係るカードリーダ１では、防塵シート１８の他端１８ｂに複数のスリットが入っている。しかし、例えば、図８（ａ）に示すように、１本のスリットが入っているのみであってもよいし、図８（ｂ）に示すように、スリットが入っていなくてもよい。また、防塵部材としては、スリットを有する防塵シート１８に限定されるわけではなく、例えば、図８（ｃ）に示すように、中央に切れ込みを有するものであってもよいし、図８（ｄ）に示すように、上下に二枚のシートを重ねてなるものであってもよい。なお、スリットを有する防塵シート１８を使うことによって、小型化及び低コスト化に寄与することができる。
【００５２】
図９は、取り付け板１９をベゼル１１に取り付けるにあたっての変形例を説明するための説明図である。
【００５３】
図９（ａ）に示すように、上述した本実施形態に係るカードリーダ１では、嵌合穴１９ａと突起部１１ｄが嵌合することによって、取り付け板１９がベゼル１１に取り付けられるようになっている。しかし、例えば、図９（ｂ）に示すように、ベゼル１１の凹部１１ｂに螺子穴１１ｅを形成し、ボルト５０をねじ込むことによって、取り付け板１９をベゼル１１に固定してもよい。また、図９（ｃ）に示すように、ベゼル１１の凹部１１ｂに溝部１１ｆを形成し、取り付け板１９を嵌め込むことによって、取り付け板１９をベゼル１１に固定してもよい。なお、取り付け板１９を用いることなく、防塵シート１８を直接ベゼル１１に取り付けてもよい。
【００５４】
上述した本実施形態に係るカードリーダ１では、受光素子３１ｂ，３２ｂを、カード位置を検出する手段として用いている。しかし、例えば、走行路の汚れを検知する汚れ検知手段として機能させることも可能である。具体的に説明すると、仮に、何らかの理由で走行路内に塵や埃が進入してしまい、受光素子３２ｂの受光量が減少したとする。このとき、受光素子３２ｂに接続された情報処理ユニット（汚れ検知手段の一例）は、受光量変化を認識し、カード搬送への支障があると判断する。そして、ＰＩＮシャッタ１５を作動させ、そのような支障がある状態でのカード挿入を阻止することができる。これにより、カードリーダ１の信頼性を向上することができる。
【００５５】
なお、情報処理ユニットがカード搬送への支障があると判断したとき、カードリーダ１が接続された上位装置に異常検知信号（アラーム信号）が送信されるようにしてもよい。これにより、迅速にメンテナンスマンを派遣することができ、派遣されたメンテナンスマンは、ベゼル１１を装置本体１２から簡単に取り外し、防塵シート１８を新しいものと交換することができる。このように、カードリーダ１の保守性（メンテナンス性）を向上することができる。
【産業上の利用可能性】
【００５６】
本発明に係る媒体処理装置は、防塵性及びセキュリティ性を備え、カードや異物の誤挿入を防止することができ、かつ、保守点検を容易にすることが可能なものとして有用である。
【図面の簡単な説明】
【００５７】
【図１】本発明の実施の形態に係るカードリーダの外観を示す斜視図である。
【図２】図１に示すカードリーダの機械構造の概略断面図である。
【図３】ＰＩＮシャッタの機械動作を説明するための断面図である。
【図４】図１に示すカードリーダから、ベゼルと防塵シートを取り外したときの様子を示す図である。
【図５】図４に示すベゼルを背面側（装置本体側）から見たときの様子を示す図である。
【図６】凹凸を有するカードが防塵シートと接触している様子を示す図である。
【図７】カードリーダの変形例を説明するための説明図である。
【図８】防塵シートの変形例を説明するための説明図である。
【図９】取り付け板をベゼルに取り付けるにあたっての変形例を説明するための説明図である。
【符号の説明】
【００５８】
１  カードリーダ
１１  ベゼル
１２  装置本体
１３  モータ
１４  磁気ヘッド
１５  ＰＩＮシャッタ
１６  ソレノイド
１７  支軸
１８  防塵シート
１９  取り付け板
２０  切り欠き部
【図１】
2008009478.tif 000003
【図２】
2008009478.tif 000004
【図３】
2008009478.tif 000005
【図４】
2008009478.tif 000006
【図５】
2008009478.tif 000007
【図６】
2008009478.tif 000008
【図７】
2008009478.tif 000009
【図８】
2008009478.tif 000010
【図９】
2008009478.tif 000011
【手続補正書】
【提出日】平成19年5月29日(2007.5.29)
【手続補正１】
【補正対象書類名】明細書
【補正対象項目名】００３９
【補正方法】変更
【補正の内容】
【００３９】
図４において、防塵シート１８は、一端１８ａが取り付け板（取り付け部材の一例）１９に固定されている。特に、本実施形態では、この一端１８ａがコの字状に折り曲げられた状態で取り付け板１９に固定されている（図５（ａ）参照）。そして、取り付け板１９は、ベゼル１１の装置本体１２側に着脱自在に取り付けられるようになっている。具体的に説明すると、図５（ａ）に示すように、ベゼル１１の装置本体１２側には凹部１１ｂが形成されており、この凹部１１ｂに、取り付け板１９の両端部が当接するようになっている。また、図５に示すように、取り付け板１９の両端部には、嵌合穴１９ａが形成されており、この嵌合穴１９ａと、ベゼル１１の装置本体１２側に形成された突起部１１ｅとが嵌合するようになっている（図５（ａ）→図５（ｂ））。なお、取り付け板１９は、木製，金属製，樹脂製，アルミ製など、如何なる材質のものであってもよい。
【手続補正２】
【補正対象書類名】明細書
【補正対象項目名】００５３
【補正方法】変更
【補正の内容】
【００５３】
図９（ａ）に示すように、上述した本実施形態に係るカードリーダ１では、嵌合穴１９ａと突起部１１ｅが嵌合することによって、取り付け板１９がベゼル１１に取り付けられるようになっている。しかし、例えば、図９（ｂ）に示すように、ベゼル１１の凹部１１ｂに螺子穴１１ｅを形成し、ボルト５０をねじ込むことによって、取り付け板１９をベゼル１１に固定してもよい。また、図９（ｃ）に示すように、ベゼル１１の凹部１１ｂに溝部１１ｆを形成し、取り付け板１９を嵌め込むことによって、取り付け板１９をベゼル１１に固定してもよい。なお、取り付け板１９を用いることなく、防塵シート１８を直接ベゼル１１に取り付けてもよい。
【手続補正３】
【補正対象書類名】図面
【補正対象項目名】図１
【補正方法】変更
【補正の内容】
【図１】
2008009478.tif 000012
【手続補正４】
【補正対象書類名】図面
【補正対象項目名】図２
【補正方法】変更
【補正の内容】
【図２】
2008009478.tif 000013
【手続補正５】
【補正対象書類名】図面
【補正対象項目名】図３
【補正方法】変更
【補正の内容】
【図３】
2008009478.tif 000014
【手続補正６】
【補正対象書類名】図面
【補正対象項目名】図４
【補正方法】変更
【補正の内容】
【図４】
2008009478.tif 000015
【手続補正７】
【補正対象書類名】図面
【補正対象項目名】図５
【補正方法】変更
【補正の内容】
【図５】
2008009478.tif 000016